(57)【要約】      （修正有）【課題】本発明はエコ使い捨てマスクを提供する。【解決手段】内層１０及び外層を含み、前記内層１０には耳掛け装置１００が設けられ、前記耳掛け装置１００が前記内層１０に設置される四組の固定ブロック１５を含み、前記固定ブロック１５の中には取付チャンバ１６が設けられ、前記取付チャンバ１６の中にはスライドブロック１４がスライドできるように設けられ、前記スライドブロック１４の一端には耳紐２０が固定的に設置され、前記スライドブロック１４の左右端面には片側に開口した収納溝が対称的に設けられ、前記収納溝の後壁には回転軸が固定的に設けられ、前記回転軸には飛出しブロックがヒンジで接続され、前記飛出しブロックの片側端面と前記収納溝の片側の内壁との間がばねによって接続される。【選択図】図１
2020143413.tif 000002
【特許請求の範囲】
【請求項１】
内層及び外層を含み、前記内層には耳掛け装置が設けられ、前記耳掛け装置が前記内層に設置される四組の固定ブロックを含み、前記固定ブロックの中には取付チャンバが設けられ、前記取付チャンバの中にはスライドブロックがスライドできるように設けられ、前記スライドブロックの一端には耳紐が固定的に設置され、前記スライドブロックの左右端面には片側に開口した収納溝が対称的に設けられ、前記収納溝の後壁には回転軸が固定的に設けられ、前記回転軸には飛出しブロックがヒンジで接続され、前記飛出しブロックの片側端面と前記収納溝の片側の内壁との間がばねによって接続され、マスクを替える時、前記スライドブロックを前記取付チャンバの中から取り出し、新しい前記内層を入れ替えた後、また前記スライドブロクを再び前記取付チャンバの中に挿入すればよく、前記内層の前端面には第一マジックテープ（登録商標）雄面が左右対称的に固定的に設けられ、前記外層の後端面には前記第一マジックテープ（登録商標）雄面と相対する第一マジックテープ（登録商標）雌面が左右対称的に固定的に設けられ、前記内層には仕切り装置が設けられ、前記仕切り装置が仕切り箱を含み、前記仕切り箱の中には上方に開口した仕切りチャンバが設けられ、前記仕切りチャンバの中に違う仕切りを置いて違う機能を実現でき、前記内層にはノーズフィットワイヤー装置が設けられ、前記ノーズフィットワイヤー装置が再利用可能なノーズフィットワイヤーを含むことを特徴とするエコ使い捨てマスク。
【請求項２】
前記耳掛け装置は前記内層の前端面に設置される第一後溝を含み、前記外層の後端面には第一前溝が設けられ、前記第一後溝と前記外層との間には前記第一後溝の後側内壁に固定的に設置される前記固定ブロックが設けられ、前記飛出しブロックと前記固定ブロックとが当接する一側の端面には摩擦ラックが固定的に設けられることを特徴とする請求項１に記載のエコ使い捨てマスク。
【請求項３】
前記仕切り装置の中の前記仕切りチャンバの前後内壁には前後に貫通した通気穴が設けられ、前記外層の後端面には第二前溝が設けられ、前記内層の前端面には第二後溝が設けられ、前記第二後溝と前記第二前溝との間には前記第二後溝の後壁に固定的に接続される前記仕切り箱が設けられ、前記仕切りチャンバの中にフィルター綿又は浸されたフィルター綿を入れて異なった機能を実現できることを特徴とする請求項１に記載のエコ使い捨てマスク。
【請求項４】
前記ノーズフィットワイヤー装置は前記内層の前端面に設置される置き溝を含み、前記置き溝の後壁には第二マジックテープ（登録商標）雄面が固定的に設けられ、前記置き溝の中には前記ノーズフィットワイヤーが置かれており、前記外層の後端面には前記第二マジックテープ（登録商標）雄面と係合される第二マジックテープ（登録商標）雌面が固定的に設けられ、これにより前記ノーズフィットワイヤーの再利用を実現することを特徴とする請求項１に記載のエコ使い捨てマスク。
【発明の詳細な説明】
【技術分野】
【０００１】
本発明は生活用品技術分野に関し、具体的にはエコ使い捨てマスクである。
【背景技術】
【０００２】
使い捨てマスクはその低廉な価格と、使い捨てで洗浄をいらず特徴によって人々に好かれている一方、その大きい使用量も環境汚染と材料の浪費をもたらし、また従来の使い捨てマスクの機能も単一であり、それらの短所に対し、本装置を提供する。
【先行技術文献】
【特許文献】
【０００３】
【特許文献１】中国特許出願公開第１０７８１６６８３号明細書
【発明の概要】
【発明が解決しようとする課題】
【０００４】
本発明の目的はエコ使い捨てマスクを提供し、それは上記の現在の技術中の問題を解決できる。
【課題を解決するための手段】
【０００５】
本発明装置のエコ使い捨てマスクは、内層及び外層を含み、前記内層には耳掛け装置が設けられ、前記耳掛け装置が前記内層に設置される四組の固定ブロックを含み、前記固定ブロックの中には取付チャンバが設けられ、前記取付チャンバの中にはスライドブロックがスライドできるように設けられ、前記スライドブロックの一端には耳紐が固定的に設置され、前記スライドブロックの左右端面には片側に開口した収納溝が対称的に設けられ、前記収納溝の後壁には回転軸が固定的に設けられ、前記回転軸には飛出しブロックがヒンジで接続され、前記飛出しブロックの片側端面と前記収納溝の片側の内壁との間がばねによって接続され、マスクを替える時、前記スライドブロックを前記取付チャンバの中から取り出し、新しい前記内層を入れ替えた後、また前記スライドブロクを再び前記取付チャンバの中に挿入すればよく、前記内層の前端面には第一マジックテープ（登録商標）雄面が左右対称的に固定的に設けられ、前記外層の後端面には前記第一マジックテープ（登録商標）雄面と相対する第一マジックテープ（登録商標）雌面が左右対称的に固定的に設けられ、前記内層には仕切り装置が設けられ、前記仕切り装置が仕切り箱を含み、前記仕切り箱の中には上方に開口した仕切りチャンバが設けられ、前記仕切りチャンバの中に違う仕切りを置いて違う機能を実現でき、前記内層にはノーズフィットワイヤー装置が設けられ、前記ノーズフィットワイヤー装置が再利用可能なノーズフィットワイヤーを含む。
【０００６】
優選的には、前記耳掛け装置は前記内層の前端面に設置される第一後溝を含み、前記外層の後端面には第一前溝が設けられ、前記第一後溝と前記外層との間には前記第一後溝の後側内壁に固定的に設置される前記固定ブロックが設けられ、前記飛出しブロックと前記固定ブロックとが当接する一側の端面には摩擦ラックが固定的に設けられる。
【０００７】
優選的には、前記仕切り装置の中の前記仕切りチャンバの前後内壁には前後に貫通した通気穴が設けられ、前記外層の後端面には第二前溝が設けられ、前記内層の前端面には第二後溝が設けられ、前記第二後溝と前記第二前溝との間には前記第二後溝の後壁に固定的に接続される前記仕切り箱が設けられ、前記仕切りチャンバの中にフィルター綿又は浸されたフィルター綿を入れて異なった機能を実現できる。
【０００８】
優選的には、前記ノーズフィットワイヤー装置は前記内層の前端面に設置される置き溝を含み、前記置き溝の後壁には第二マジックテープ（登録商標）雄面が固定的に設けられ、前記置き溝の中には前記ノーズフィットワイヤーが置かれており、前記外層の後端面には前記第二マジックテープ（登録商標）雄面と係合される第二マジックテープ（登録商標）雌面が固定的に設けられ、これにより前記ノーズフィットワイヤーの再利用を実現する。
【発明の効果】
【０００９】
以上により、本発明は構造が簡単で、使用が便利で、使い捨てマスクの使用特徴に対し、本発明は耳紐とノーズフィットワイヤーとを取り外し可能なように設置しており、マスクを換える時に表裏だけ取り換えればよく、耳紐とノーズフィットワイヤーを再利用でき、これにより環境汚染と材料浪費を効果的に避け、また、マスクに内外二層の構造を持たせ、中間に異なる仕切りを入れることによって、加湿の実現や濾過効果の強化ができ、実用性を高める。
【図面の簡単な説明】
【００１０】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１１】
【図１】図１は本発明のエコ使い捨てマスクの全体構成略図である。
【図２】図２は図１のＡーＡの構造概略図である。
【図３】図３は図２のＢ−Ｂの構成略図である。
【図４】図４は図１のＣの構成略図である。
【発明を実施するための形態】
【００１２】
以下に付図説明と実施例を合わせて本発明を更に説明し、本発明の方式は下記の実施例に限られていない。
【００１３】
図１−４が示すように、本発明装置のエコ使い捨てマスクは、内層１０及び外層２２を含み、前記内層１０には耳掛け装置１００が設けられ、前記耳掛け装置１００が前記内層１０に設置される四組の固定ブロック１５を含み、前記固定ブロック１５の中には取付チャンバ１６が設けられ、前記取付チャンバ１６の中にはスライドブロック１４がスライドできるように設けられ、前記スライドブロック１４の一端には耳紐２０が固定的に設置され、前記スライドブロック１４の左右端面には片側に開口した収納溝３０が対称的に設けられ、前記収納溝３０の後壁には回転軸３２が固定的に設けられ、前記回転軸３２には飛出しブロック２９がヒンジで接続され、前記飛出しブロック２９の片側端面と前記収納溝３０の片側の内壁との間がばね３１によって接続され、マスクを替える時、前記スライドブロック１４を前記取付チャンバ１６の中から取り出し、新しい前記内層１０を入れ替えた後、また前記スライドブロク１４を再び前記取付チャンバ１６の中に挿入すればよく、前記内層１０の前端面には第一マジックテープ（登録商標）雄面１９が左右対称的に固定的に設けられ、前記外層２２の後端面には前記第一マジックテープ（登録商標）雄面１９と相対する第一マジックテープ（登録商標）雌面２６が左右対称的に固定的に設けられ、前記内層１０には仕切り装置２００が設けられ、前記仕切り装置２００が仕切り箱１８を含み、前記仕切り箱１８の中には上方に開口した仕切りチャンバ３３が設けられ、前記仕切りチャンバ３３の中に違う仕切りを置いて違う機能を実現でき、前記内層１０にはノーズフィットワイヤー装置３００が設けられ、前記ノーズフィットワイヤー装置３００が再利用可能なノーズフィットワイヤー１３を含む。
【００１４】
有益的には、前記耳掛け装置１００は前記内層１０の前端面に設置される第一後溝２４を含み、前記外層２２の後端面には第一前溝２１が設けられ、前記第一後溝２４と前記外層２２との間には前記第一後溝２４の後側内壁に固定的に設置される前記固定ブロック１５が設けられ、前記飛出しブロック２９と前記固定ブロック１５とが当接する一側の端面には摩擦ラック２８が固定的に設けられる。
【００１５】
有益的には、前記仕切り装置２００の中の前記仕切りチャンバ３３の前後内壁には前後に貫通した通気穴１７が設けられ、前記外層２２の後端面には第二前溝２３が設けられ、前記内層１０の前端面には第二後溝２５が設けられ、前記第二後溝２５と前記第二前溝２３との間には前記第二後溝２５の後壁に固定的に接続される前記仕切り箱１８が設けられ、前記仕切りチャンバ３３の中にフィルター綿又は浸されたフィルター綿を入れて異なった機能を実現できる。
【００１６】
有益的には、前記ノーズフィットワイヤー装置３００は前記内層１０の前端面に設置される置き溝１２を含み、前記置き溝１２の後壁には第二マジックテープ（登録商標）雄面１１が固定的に設けられ、前記置き溝１２の中には前記ノーズフィットワイヤー１３が置かれており、前記外層２２の後端面には前記第二マジックテープ（登録商標）雄面１１と係合される第二マジックテープ（登録商標）雌面２７が固定的に設けられ、これにより前記ノーズフィットワイヤー１３の再利用を実現する。
【００１７】
前記エコ使い捨てマスクの実現方法は下記の手順を含む：
【００１８】
使用する時、仕切りチャンバ３３の中にフィルター綿を入れることによって防護を強化することができ、又は浸されたフィルター綿を入れることによって空気を加湿することができ、入れ替える時、前記内層１０があまり汚くなければ再利用でき、前記外層２２だけを入れ替えればよく、前記外層２２が前記第一マジックテープ（登録商標）雌面２６と前記第一マジックテープ（登録商標）雄面１９とによって前記内層１０が固定され、全部入れ替える時、前記スライドブロック１４を前記取付チャンバ１６の中から取り出し、前記ノーズフィットワイヤー１３を前記置き溝１２から取り出し、前記内層１０と前記外層２２とを替えた後、前記ノーズフィットワイヤー１３を前記置き溝１２の中に置き、前記スライドブロック１４を前記取付チャンバ１６の中に挿入し、前記ばね３１が前記飛出しブロック２９を押して前記摩擦ラック２８を前記固定ブロック１５の壁体と当接させ、これにより前記スライドブロック１４の固定を実現し、前記外層２２を前記内層１０に被せ、前記第一マジックテープ（登録商標）雄面１９を前記第一マジックテープ（登録商標）雌面２６と引っ掛からせ、前記第二マジックテープ（登録商標）雌面２７と前記第二マジック雄面１１とを引っ掛からせる。
【００１９】
以上に述べたように、本発明は構造が簡単で、使用が便利で、使い捨てマスクの使用特徴に対し、本発明は耳紐とノーズフィットワイヤーとを取り外し可能なように設置しており、マスクを換える時に表裏だけ取り換えればよく、耳紐とノーズフィットワイヤーを再利用でき、これにより環境汚染と材料浪費を効果的に避け、また、マスクに内外二層の構造を持たせ、中間に異なる仕切りを入れることによって、加湿の実現や濾過効果の強化ができ、実用性を高める。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020143413.tif 000003
【図２】
2020143413.tif 000004
【図３】
2020143413.tif 000005
【図４】
2020143413.tif 000006
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
内層及び外層を含み、前記内層には耳掛け装置が設けられ、前記耳掛け装置が前記内層に設置される四組の固定ブロックを含み、前記固定ブロックの中には取付チャンバが設けられ、前記取付チャンバの中にはスライドブロックがスライドできるように設けられ、前記スライドブロックの一端には耳紐が固定的に設置され、前記スライドブロックの左右端面には片側に開口した収納溝が対称的に設けられ、前記収納溝の後壁には回転軸が固定的に設けられ、前記回転軸には飛出しブロックがヒンジで接続され、前記飛出しブロックの片側端面と前記収納溝の片側の内壁との間がばねによって接続され、マスクを替える時、前記スライドブロックを前記取付チャンバの中から取り出し、新しい前記内層を入れ替えた後、また前記スライドブロクを再び前記取付チャンバの中に挿入すればよく、前記内層の前端面には第一マジックテープ（登録商標）雄面が左右対称的に固定的に設けられ、前記外層の後端面には前記第一マジックテープ（登録商標）雄面と相対する第一マジックテープ（登録商標）雌面が左右対称的に固定的に設けられ、前記内層には仕切り装置が設けられ、前記仕切り装置が仕切り箱を含み、前記仕切り箱の中には上方に開口した仕切りチャンバが設けられ、前記仕切りチャンバの中に違う仕切りを置いて違う機能を実現でき、前記内層にはノーズフィットワイヤー装置が設けられ、前記ノーズフィットワイヤー装置が再利用可能なノーズフィットワイヤーを含み、
前記耳掛け装置は前記内層の前端面に設置される第一後溝を含み、前記外層の後端面には第一前溝が設けられ、前記第一後溝と前記外層との間には前記第一後溝の後側内壁に固定的に設置される前記固定ブロックが設けられ、前記飛出しブロックにおいて前記固定ブロックに近接している側には摩擦ラックが固定的に設けられ、
前記仕切り装置の中の前記仕切りチャンバの前後内壁には前後に貫通した通気穴が設けられ、前記外層の後端面には第二前溝が設けられ、前記内層の前端面には第二後溝が設けられ、前記第二後溝と前記第二前溝との間には前記第二後溝の後壁に固定的に接続される前記仕切り箱が設けられ、前記仕切りチャンバの中にフィルター綿又は浸されたフィルター綿を入れて異なった機能を実現でき、
前記ノーズフィットワイヤー装置は前記内層の前端面に設置される置き溝を含み、前記置き溝の後壁には第二マジックテープ（登録商標）雄面が固定的に設けられ、前記置き溝の中には前記ノーズフィットワイヤーが置かれており、前記外層の後端面には前記第二マジックテープ（登録商標）雄面と係合される第二マジックテープ（登録商標）雌面が固定的に設けられ、これにより前記ノーズフィットワイヤーの再利用を実現することを特徴とするエコ使い捨てマスク。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的にはエコ使い捨てマスクである。
【背景技術】
【０００２】
使い捨てマスクはその低廉な価格と、使い捨てで洗浄をいらず特徴によって人々に好かれている一方、その大きい使用量も環境汚染と材料の浪費をもたらし、また従来の使い捨てマスクの機能も単一であり、それらの短所に対し、本装置を提供する。
【先行技術文献】
【特許文献】
【０００３】
【特許文献１】中国特許出願公開第１０７８１６６８３号明細書
【発明の概要】
【発明が解決しようとする課題】
【０００４】
本発明の目的はエコ使い捨てマスクを提供し、それは上記の現在の技術中の問題を解決できる。
【課題を解決するための手段】
【０００５】
本発明装置のエコ使い捨てマスクは、内層及び外層を含み、前記内層には耳掛け装置が設けられ、前記耳掛け装置が前記内層に設置される四組の固定ブロックを含み、前記固定ブロックの中には取付チャンバが設けられ、前記取付チャンバの中にはスライドブロックがスライドできるように設けられ、前記スライドブロックの一端には耳紐が固定的に設置され、前記スライドブロックの左右端面には片側に開口した収納溝が対称的に設けられ、前記収納溝の後壁には回転軸が固定的に設けられ、前記回転軸には飛出しブロックがヒンジで接続され、前記飛出しブロックの片側端面と前記収納溝の片側の内壁との間がばねによって接続され、マスクを替える時、前記スライドブロックを前記取付チャンバの中から取り出し、新しい前記内層を入れ替えた後、また前記スライドブロクを再び前記取付チャンバの中に挿入すればよく、前記内層の前端面には第一マジックテープ（登録商標）雄面が左右対称的に固定的に設けられ、前記外層の後端面には前記第一マジックテープ（登録商標）雄面と相対する第一マジックテープ（登録商標）雌面が左右対称的に固定的に設けられ、前記内層には仕切り装置が設けられ、前記仕切り装置が仕切り箱を含み、前記仕切り箱の中には上方に開口した仕切りチャンバが設けられ、前記仕切りチャンバの中に違う仕切りを置いて違う機能を実現でき、前記内層にはノーズフィットワイヤー装置が設けられ、前記ノーズフィットワイヤー装置が再利用可能なノーズフィットワイヤーを含む。
【０００６】
優選的には、前記耳掛け装置は前記内層の前端面に設置される第一後溝を含み、前記外層の後端面には第一前溝が設けられ、前記第一後溝と前記外層との間には前記第一後溝の後側内壁に固定的に設置される前記固定ブロックが設けられ、前記飛出しブロックにおいて前記固定ブロックに近接している側には摩擦ラックが固定的に設けられる。
【０００７】
優選的には、前記仕切り装置の中の前記仕切りチャンバの前後内壁には前後に貫通した通気穴が設けられ、前記外層の後端面には第二前溝が設けられ、前記内層の前端面には第二後溝が設けられ、前記第二後溝と前記第二前溝との間には前記第二後溝の後壁に固定的に接続される前記仕切り箱が設けられ、前記仕切りチャンバの中にフィルター綿又は浸されたフィルター綿を入れて異なった機能を実現できる。
【０００８】
優選的には、前記ノーズフィットワイヤー装置は前記内層の前端面に設置される置き溝を含み、前記置き溝の後壁には第二マジックテープ（登録商標）雄面が固定的に設けられ、前記置き溝の中には前記ノーズフィットワイヤーが置かれており、前記外層の後端面には前記第二マジックテープ（登録商標）雄面と係合される第二マジックテープ（登録商標）雌面が固定的に設けられ、これにより前記ノーズフィットワイヤーの再利用を実現する。
【発明の効果】
【０００９】
以上により、本発明は構造が簡単で、使用が便利で、使い捨てマスクの使用特徴に対し、本発明は耳紐とノーズフィットワイヤーとを取り外し可能なように設置しており、マスクを換える時に表裏だけ取り換えればよく、耳紐とノーズフィットワイヤーを再利用でき、これにより環境汚染と材料浪費を効果的に避け、また、マスクに内外二層の構造を持たせ、中間に異なる仕切りを入れることによって、加湿の実現や濾過効果の強化ができ、実用性を高める。
【図面の簡単な説明】
【００１０】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１１】
【図１】図１は本発明のエコ使い捨てマスクの全体構成略図である。
【図２】図２は図１のＡーＡの構造概略図である。
【図３】図３は図２のＢ−Ｂの構成略図である。
【図４】図４は図１のＣの構成略図である。
【発明を実施するための形態】
【００１２】
以下に付図説明と実施例を合わせて本発明を更に説明し、本発明の方式は下記の実施例に限られていない。
【００１３】
図１−４が示すように、本発明装置のエコ使い捨てマスクは、内層１０及び外層２２を含み、前記内層１０には耳掛け装置１００が設けられ、前記耳掛け装置１００が前記内層１０に設置される四組の固定ブロック１５を含み、前記固定ブロック１５の中には取付チャンバ１６が設けられ、前記取付チャンバ１６の中にはスライドブロック１４がスライドできるように設けられ、前記スライドブロック１４の一端には耳紐２０が固定的に設置され、前記スライドブロック１４の左右端面には片側に開口した収納溝３０が対称的に設けられ、前記収納溝３０の後壁には回転軸３２が固定的に設けられ、前記回転軸３２には飛出しブロック２９がヒンジで接続され、前記飛出しブロック２９の片側端面と前記収納溝３０の片側の内壁との間がばね３１によって接続され、マスクを替える時、前記スライドブロック１４を前記取付チャンバ１６の中から取り出し、新しい前記内層１０を入れ替えた後、また前記スライドブロク１４を再び前記取付チャンバ１６の中に挿入すればよく、前記内層１０の前端面には第一マジックテープ（登録商標）雄面１９が左右対称的に固定的に設けられ、前記外層２２の後端面には前記第一マジックテープ（登録商標）雄面１９と相対する第一マジックテープ（登録商標）雌面２６が左右対称的に固定的に設けられ、前記内層１０には仕切り装置２００が設けられ、前記仕切り装置２００が仕切り箱１８を含み、前記仕切り箱１８の中には上方に開口した仕切りチャンバ３３が設けられ、前記仕切りチャンバ３３の中に違う仕切りを置いて違う機能を実現でき、前記内層１０にはノーズフィットワイヤー装置３００が設けられ、前記ノーズフィットワイヤー装置３００が再利用可能なノーズフィットワイヤー１３を含む。
【００１４】
有益的には、前記耳掛け装置１００は前記内層１０の前端面に設置される第一後溝２４を含み、前記外層２２の後端面には第一前溝２１が設けられ、前記第一後溝２４と前記外層２２との間には前記第一後溝２４の後側内壁に固定的に設置される前記固定ブロック１５が設けられ、前記飛出しブロック２９において前記固定ブロック１５に近接している側には摩擦ラック２８が固定的に設けられる。
【００１５】
有益的には、前記仕切り装置２００の中の前記仕切りチャンバ３３の前後内壁には前後に貫通した通気穴１７が設けられ、前記外層２２の後端面には第二前溝２３が設けられ、前記内層１０の前端面には第二後溝２５が設けられ、前記第二後溝２５と前記第二前溝２３との間には前記第二後溝２５の後壁に固定的に接続される前記仕切り箱１８が設けられ、前記仕切りチャンバ３３の中にフィルター綿又は浸されたフィルター綿を入れて異なった機能を実現できる。
【００１６】
有益的には、前記ノーズフィットワイヤー装置３００は前記内層１０の前端面に設置される置き溝１２を含み、前記置き溝１２の後壁には第二マジックテープ（登録商標）雄面１１が固定的に設けられ、前記置き溝１２の中には前記ノーズフィットワイヤー１３が置かれており、前記外層２２の後端面には前記第二マジックテープ（登録商標）雄面１１と係合される第二マジックテープ（登録商標）雌面２７が固定的に設けられ、これにより前記ノーズフィットワイヤー１３の再利用を実現する。
【００１７】
前記エコ使い捨てマスクの実現方法は下記の手順を含む：
【００１８】
使用する時、仕切りチャンバ３３の中にフィルター綿を入れることによって防護を強化することができ、又は浸されたフィルター綿を入れることによって空気を加湿することができ、入れ替える時、前記内層１０があまり汚くなければ再利用でき、前記外層２２だけを入れ替えればよく、前記外層２２が前記第一マジックテープ（登録商標）雌面２６と前記第一マジックテープ（登録商標）雄面１９とによって前記内層１０が固定され、全部入れ替える時、前記スライドブロック１４を前記取付チャンバ１６の中から取り出し、前記ノーズフィットワイヤー１３を前記置き溝１２から取り出し、前記内層１０と前記外層２２とを替えた後、前記ノーズフィットワイヤー１３を前記置き溝１２の中に置き、前記スライドブロック１４を前記取付チャンバ１６の中に挿入し、前記ばね３１が前記飛出しブロック２９を押して前記摩擦ラック２８を前記固定ブロック１５の壁体と当接させ、これにより前記スライドブロック１４の固定を実現し、前記外層２２を前記内層１０に被せ、前記第一マジックテープ（登録商標）雄面１９を前記第一マジックテープ（登録商標）雌面２６と引っ掛からせ、前記第二マジックテープ（登録商標）雌面２７と前記第二マジック雄面１１とを引っ掛からせる。
【００１９】
以上に述べたように、本発明は構造が簡単で、使用が便利で、使い捨てマスクの使用特徴に対し、本発明は耳紐とノーズフィットワイヤーとを取り外し可能なように設置しており、マスクを換える時に表裏だけ取り換えればよく、耳紐とノーズフィットワイヤーを再利用でき、これにより環境汚染と材料浪費を効果的に避け、また、マスクに内外二層の構造を持たせ、中間に異なる仕切りを入れることによって、加湿の実現や濾過効果の強化ができ、実用性を高める。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。